(57)【要約】【課題】相手側コネクタとの嵌合を行うのに先立って、レバー式コネクタを構成している部品が正しく組み付けられているか否かを検知する。【解決手段】レバー式コネクタ１は、電線カバー２０（第１部材）にレバー４０とハウジング１０（第２部材）を取り付けて構成され、レバー４０を初期位置から嵌合完了位置へ移動させることにより、相手側コネクタ５１と嵌合される。電線カバー２０とレバー４０には、互いに係止することにより初期位置にあるレバー４０の移動を規制する係止部（係止孔２９、係止突起４９）が形成され、ハウジング１０には、ハウジング１０が電線カバー２０に対して正しく取り付けられたときにのみ、係止部同士の係止を解除してレバー４０の移動を許容する解除部１５が形成されている。【選択図】図４
2010108872.tif 000002
【特許請求の範囲】
【請求項１】
第１部材と、
前記第１部材に対し、初期位置と嵌合完了位置との間での移動を可能に取り付けられたレバーと、
前記第１部材に取り付けられる第２部材とを備えて構成され、
前記レバーを前記初期位置から前記嵌合完了位置へ移動させることにより、相手側コネクタと嵌合されるようになっているレバー式コネクタであって、
前記第１部材と前記レバーには、互いに係止することにより前記初期位置にある前記レバーの移動を規制する係止部が形成され、
前記第２部材には、前記第２部材が前記第１部材に対して正しく取り付けられたときにのみ、前記係止部同士の係止を解除して前記レバーの移動を許容する解除部が形成されていることを特徴とするコネクタ。
【請求項２】
前記第２部材が、電線の端末部に接続された端子金具を収容したハウジングであり、
前記第１部材が、前記ハウジングから導出された前記電線を屈曲させた状態で収容する電線カバーであることを特徴とする請求項１記載のコネクタ。
【請求項３】
前記第１部材が、電線の端末部に接続された端子金具が挿入されているハウジングであり、
前記第２部材が、前記端子金具に対して抜止め状態に係止されるリテーナであることを特徴とする請求項１記載のコネクタ。
【請求項４】
前記レバー側の前記係止部と前記第１部材側の前記係止部のうち少なくともいずれか一方の前記係止部は、相手側の前記係止部から解離する方向へ弾性撓み可能な弾性係止片となっており、
前記レバー側の前記係止部と前記第１部材側の前記係止部のうち少なくともいずれか一方の前記係止部には、前記レバーの移動方向に対して傾斜したテーパ面が形成され、
前記係止部同士の係止が解除されて前記レバーの移動が許容された状態では、前記テーパ面が相手側の前記係止部に係止することにより前記レバーが初期位置に保持されることを特徴とする請求項１ないし請求項３のいずれか１項に記載のコネクタ。
【請求項５】
前記第１部材には、前記レバーが前記嵌合完了位置に到達したときに前記レバー側の係止部を係止させることにより、前記レバーを前記嵌合完了位置に保持するロック部が形成されていることを特徴とする請求項１ないし請求項４のいずれか１項に記載のコネクタ。
【発明の詳細な説明】
【技術分野】
【０００１】
本発明は、レバー式コネクタに関するものである。
【背景技術】
【０００２】
特許文献１には、電線カバーと、電線カバーに対し初期位置と嵌合完了位置との間での回動を可能とされたレバーと、電線カバーに取り付けられるハウジングとを備えたレバー式コネクタが開示されている。このレバー式コネクタは、レバーを、相手側コネクタに係合させて初期位置から嵌合完了位置へ回動させることにより、相手側コネクタと嵌合されるようになっている。
【特許文献１】特開２００４−１９９９９０公報
【発明の開示】
【発明が解決しようとする課題】
【０００３】
上記のレバー式コネクタでは、電線カバーとハウジングとが正しく組み付けられていない状態のままで相手側コネクタとの嵌合を行おうとしたときに、相手側コネクタに係合されるレバーとこのレバーを支持する電線カバーは、相手側コネクタに対して正しい位置関係をとることができるのに対し、ハウジングは相手側コネクタに対して不正な位置関係となる。この場合、ハウジングが不正に位置にある状態のままで嵌合動作を無理に進めたときには、嵌合不良だけでなく、部品の損傷等の不具合を来たすことが懸念される。そのため、遅くとも相手側コネクタとの嵌合のためにレバーの回動を開始する時点で、電線カバーとハウジングが正しく組み付けられたかどうかを検知できるようにすることが望ましい。
【０００４】
本発明は上記のような事情に基づいて完成されたものであって、相手側コネクタとの嵌合を行うのに先立って、レバー式コネクタを構成している部品が正しく組み付けられているか否かを検知できるようにすることを目的とする。
【課題を解決するための手段】
【０００５】
上記の目的を達成するための手段として、請求項１の発明は、第１部材と、前記第１部材に対し、初期位置と嵌合完了位置との間での移動を可能に取り付けられたレバーと、前記第１部材に取り付けられる第２部材とを備えて構成され、前記レバーを前記初期位置から前記嵌合完了位置へ移動させることにより、相手側コネクタと嵌合されるようになっているレバー式コネクタであって、前記第１部材と前記レバーには、互いに係止することにより前記初期位置にある前記レバーの移動を規制する係止部が形成され、前記第２部材には、前記第２部材が前記第１部材に対して正しく取り付けられたときにのみ、前記係止部同士の係止を解除して前記レバーの移動を許容する解除部が形成されているところに特徴を有する。
【０００６】
請求項２の発明は、請求項１に記載のものにおいて、前記第２部材が、電線の端末部に接続された端子金具を収容したハウジングであり、前記第１部材が、前記ハウジングから導出された前記電線を屈曲させた状態で収容する電線カバーであるところに特徴を有する。
【０００７】
請求項３の発明は、請求項１に記載のものにおいて、前記第１部材が、電線の端末部に接続された端子金具が挿入されているハウジングであり、前記第２部材が、前記端子金具に対して抜止め状態に係止されるリテーナであるところに特徴を有する。
【０００８】
請求項４の発明は、請求項１ないし請求項３のいずれかに記載のものにおいて、前記レバー側の前記係止部と前記第１部材側の前記係止部のうち少なくともいずれか一方の前記係止部は、相手側の前記係止部から解離する方向へ弾性撓み可能な弾性係止片となっており、前記レバー側の前記係止部と前記第１部材側の前記係止部のうち少なくともいずれか一方の前記係止部には、前記レバーの移動方向に対して傾斜したテーパ面が形成され、前記係止部同士の係止が解除されて前記レバーの移動が許容された状態では、前記テーパ面が相手側の前記係止部に係止することにより前記レバーが初期位置に保持されるところに特徴を有する。
【０００９】
請求項５の発明は、請求項１ないし請求項４のいずれかに記載のものにおいて、前記第１部材には、前記レバーが前記嵌合完了位置に到達したときに前記レバー側の係止部を係止させることにより、前記レバーを前記嵌合完了位置に保持するロック部が形成されているところに特徴を有する。
【発明の効果】
【００１０】
＜請求項１〜請求項３の発明＞
第１部材に第２部材を取り付けると、係止部同士の係止が解除部によって解除されるので、レバーは移動可能となる。また、第１部材に対する第２部材の取付けが不完全である場合には、係止部同士が係止した状態のままなので、レバーは移動を規制された状態のままである。レバーの移動が許容されたか否かに基づいて、第１部材に対する第２部材の取り付け状態を検知することができる。
【００１１】
＜請求項４の発明＞
レバーが初期位置に保持されている状態において、レバーに対してテーパ面と相手側の係止部との係止力を上回る操作力を付与すると、弾性係止片が弾性撓みしながらテーパ面と相手側の係止部との間で摺動することにより、レバーが初期位置から嵌合完了位置側へ移動する。
【００１２】
＜請求項５の発明＞
レバー側の係止部は、レバーを嵌合完了位置に保持するためのロック手段としての機能を兼ね備えているので、レバーに、係止部とは別に専用のロック手段を形成した場合に比べると、レバーの形状の簡素化を図ることができる。
【発明を実施するための最良の形態】
【００１３】
＜実施形態１＞
以下、本発明を具体化した実施形態１を図１乃至図６を参照して説明する。本実施形態のレバー式コネクタ１は、合成樹脂製のハウジング１０（本発明の構成要件である第２部材）と、ハウジング１０と組み付けられる合成樹脂製の電線カバー２０（本発明の構成要件である第１部材）と、電線カバー２０に回動可能に取り付けられた合成樹脂製のレバー４０とを備えて構成されている。
【００１４】
ハウジング１０は、全体として、幅寸法が小さく、前後方向に長い方形状をなす。ハウジング１０内には、上下方向に貫通する複数のキャビティ１１が、前後方向に並んで形成されている。各キャビティ１１内には、ハウジング１０の上面側の開口から端子金具１２が挿入されている。端子金具１２には電線１３が導通可能に接続され、電線１３は、ハウジング１０の上面から導出されている。ハウジング１０の左右両外側面には、前後方向（電線カバー２０とハウジング１０との組付け方向と平行な方向）に直線状に延びてキャビティ１１に連通する左右一対の連通溝１４が形成されている。ハウジング１０の前端面には、解除部１５が突出形成されている。
【００１５】
電線カバー２０は、左右一対の側壁２１と、左右両側壁２１の前端縁同士を連結する形態の前面壁２２と、左右両側壁２１の上端縁同士を連結する形態の上面壁２３と、左右両側壁２１の下端縁同士を連結する下面壁２６とを一体に形成した形態であり、後面において外部へ開放された箱状をなしている。この電線カバー２０の内部空間のうち下側の空間はハウジング１０を収容するための収容空間２４となっており、上側の空間は、ハウジング１０から導出した電線１３を曲げて配索するための配索空間２５となっている。
【００１６】
左右両側壁２１の内面のうち収容空間２４と対応する高さには、前後方向に直線状に延びる左右一対の抜止めリブ２７が突出形成されている。左右両側壁２１の外面には、レバー４０を回動可能に支持するための一対の支持軸２８が突出形成されている。前面壁２２には、前後方向に貫通する係止孔２９（本発明の構成要件である係止部）が形成されている。上面壁２３のうち前端側の部分は、レバー４０との干渉を回避するために、前方に向かって下り勾配となるように傾斜している。上面壁２３のうち前後方向中央いちよりも少し後方の位置には、上下方向に貫通するロック孔３０（本発明の構成要件であるロック部）が形成されている。
【００１７】
レバー４０は、板状をなす操作部４１と、操作部４１の左右両側縁から左右対称に延出した一対の板状のアーム部４２とを備えて構成されている。左右両アーム部４２には、左右方向に貫通する軸受孔４３が形成されている。左右両アーム部４２の外側面には、軸受孔４３を中心として放射状（径方向外向き）に延びた形態の複数の係合爪を有するギヤ状のカム機能部４４が形成されている。
【００１８】
レバー４０は、アーム部４２に形成した軸受孔４３を支持軸２８に嵌合することにより、電線カバー２０に対し、図１〜４に示す初期位置と図５に示す嵌合完了位置との間での回動を可能に支持されている。レバー４０が初期位置にある状態では、操作部４１が、電線カバー２０の前面壁２２の外面（前面）に対してほぼ平行に重なるように対向する。レバー４０が嵌合完了位置にある状態では、操作部４１が、上面壁２３の外面（上面）に対してほぼ平行に重なるように対向する。
【００１９】
操作部４１は、左右一対の板状をなす本体部４５と、左右両本体部４５の間に配置された板状の弾性係止片４６（本発明の構成要件である係止部）と、左右両本体部４５と弾性係止片４６とを連結するヒンジ部４７とから構成される。本体部４５は、その外側の側縁においてアーム部４２に対して直角に連なっている。ヒンジ部４７は、弾性係止片４６の左右両側縁のうちレバー４０の回動方向における中央に近い位置に配置されている。
【００２０】
レバー４０の回動方向における弾性係止片４６の両端部のうち、レバー４０が嵌合完了位置から初期位置へ回動するときの移動方向前方側の端部は、係止端部４８となっている。この係止端部４８のうち電線カバー２０との対向面には係止突起４９が形成されている。また、弾性係止片４６のうちレバー４０が初期位置から嵌合完了位置へ回動するときの移動方向前方側の端部は、電線カバー２０から遠ざかるように傾斜した解除操作片５０となっている。
【００２１】
弾性係止片４６は、常には、図３に示す係止姿勢に保たれているが、ヒンジ部４７を弾性変形させながらヒンジ部４７を支点として図４に示す解除姿勢へとシーソー状に傾動変位し得るようになっている。
【００２２】
レバー４０が初期位置にあり、弾性係止片４６が係止姿勢をとるときには、係止突起４９が係止孔２９と係止可能となる。レバー４０が初期位置にあり、弾性係止片４６が係止姿勢にある状態で、解除操作片５０の外面を押し操作すると、係止突起４９が係止孔２９から解離する方向へ変位する。
【００２３】
レバー４０が嵌合完了位置にあり、レバー４０が係止姿勢をとるときには、係止突起４９がロック孔３０と係止可能となる。レバー４０が嵌合完了位置にあり、弾性係止片４６が係止姿勢にある状態で、解除操作片５０の外面を押し操作すると、係止突起４９がロック孔３０から解離する方向へ変位する。
【００２４】
次に、本実施形態の作用を説明する。レバー式コネクタ１を組み付ける際には、電線カバー２０とハウジング１０を組み付ける前の状態において、電線カバー２０にレバー４０を取り付ける。このとき、レバー４０は初期位置に変位させておく。すると、係止突起４９が係止孔２９に係止するので、レバー４０は、嵌合完了位置側への回動が規制されて初期位置にロックされる。このとき係止突起４９は、その突出方向におけるほぼ全領域が係止孔２９と係止するので、係止代が大きく、確実にロックされる。
【００２５】
一方、ハウジング１０においては、キャビティ１１に端子金具１２を挿入し、電線１３がハウジング１０の上面から外部へ導出する状態とする。全ての端子金具１２が挿入されると、ハウジング１０と端子金具１２との組付けが完了する。この後、ハウジング１０を、電線カバー２０に対して後方から組み付けて、収容空間２４内に嵌入する。組付けに際しては、ハウジング１０の連通溝１４に電線カバー２０の抜止めリブ２７を嵌合し、これにより、上下方向（ハウジング１０の組付け方向と直交する方向）においてハウジング１０が電線カバー２０に対して位置決めされる。また、左右両側壁２１がハウジング１０の外側面に摺接することにより、左右方向（ハウジング１０の組付け方向と直交する方向）においてもハウジング１０が電線カバー２０に対して位置決めされる。
【００２６】
ハウジング１０を組み付ける工程において、もし、複数の端子金具１２のうちいずれかの端子金具１２の挿入状態が不完全であった場合には、端子金具１２の先端の角筒部１２ａが、上方へ位置ずれして連通溝１４と対応する状態となるので、この角筒部１２ａが抜止めリブ２７と干渉し、この干渉によってハウジング１０のそれ以上の組付け動作が規制される。したがって、ハウジング１０の組付けが動作途中で規制された場合には、半挿入状態の端子金具１２が存在していることを検知できる。
【００２７】
ハウジング１０が電線カバー２０に対して正規の位置まで組み付けられると、ハウジング１０の前面が電線カバー２０の前面壁２２に突き当たって前止まりされるとともに、図示しない抜止め手段によってハウジング１０の後方への離脱が規制される。ハウジング１０内では、電線カバー２０の抜止めリブ２７が端子金具１２の角筒部１２ａに係止することにより、端子金具１２が抜止め状態に保持される。また、ハウジング１０から上向きに導出されている複数本の電線１３は、電線カバー２０の配索空間２５内で後方へ屈曲され、電線カバー２０の後面の開口から電線カバー２０外へ導出される。以上により、ハウジング１０の組付け作業が完了し、レバー式コネクタ１が完成する。
【００２８】
ハウジング１０が正しく組み付けられた状態では、ハウジング１０の解除部１５が、係止孔２９内に後方から進入し、係止孔２９内の係止突起４９を前方へ押すので、弾性係止片４６が解除姿勢へ弾性変位する。このとき、解除部１５の前端面は、前面壁２２の外面（前面）よりも後方で止まっているので、係止突起４９の一部（突出端部）は係止孔２９内に進入した状態に保たれる。このときの係止突起４９と係止孔２９との係止代は、ハウジング１０が組み付けられる前の状態に比べて減少しているので、係止突起４９と係止孔２９との係止力は、ハウジング１０の組付け前の係止力よりも低下している。しかし、この係止力であれば、レバー４０を初期位置に保持することは可能である。
【００２９】
このレバー式コネクタ１は、上向きのフード部５２を有する相手側コネクタ５１と嵌合される。嵌合に際しては、フード部５２内に電線カバー２０を上から浅く嵌入し、フード部５２内に形成したカムフォロア（図示せず）にカム機能部４４を係止させる。次に、レバー４０の操作部４１に指を掛けてレバー４０を嵌合完了位置側へ回動させる。このとき、操作部４１に対し係止突起４９と係止孔２９との係止力を上回る操作力を付与するか、解除操作片５０を押し操作して係止突起４９を係止孔２９から解離させれば、レバー４０の回動が開始される。
【００３０】
レバー４０の回動過程では、カム機能部４４とカムフォロアとの係合によるカム作用により、レバー式コネクタ１と相手側コネクタ５１との嵌合が進む。そして、レバー４０が嵌合完了位置に到達すると、両コネクタ１，５１が正規の嵌合状態に至り、ハウジング１０内の端子金具１２と、フード部５２内に配置されている相手側端子５３とが導通可能に接続される。また、レバー４０が嵌合完了位置に到達すると、係止突起４９がロック孔３０に係止し、この係止作用により、レバー４０が嵌合完了位置にロックされ、ひいては、両コネクタ１，５１が嵌合状態にロックされる。
【００３１】
上述のように本実施形態においては、電線カバー２０とレバー４０には、互いに係止することにより初期位置にあるレバー４０の回動を規制する係止部（係止孔２９と弾性係止片４６）が形成され、ハウジング１０には、ハウジング１０が電線カバー２０に対して正しく取り付けられたときにのみ、係止孔２９と弾性係止片４６の係止を解除してレバー４０の回動を許容する解除部１５が形成されている。
【００３２】
この構成によれば、電線カバー２０にハウジング１０を取り付けると、解除部１５が係止突起４９を押すことによって係止孔２９と弾性係止片４６との係止が解除されるので、レバー４０は回動可能となる。また、電線カバー２０に対するハウジング１０の取付けが不完全である場合には、係止突起４９が解除部１５で押されないので、係止突起４９と係止孔２９とが大きな係止代をもって係止状態を保ち、レバー４０は回動を規制された状態にロックされたままとなる。したがって、レバー４０の移動が許容されたか否かに基づいて、電線カバー２０に対するハウジング１０の取り付け状態を検知することができる。
【００３３】
また、電線カバー２０には、レバー４０が嵌合完了位置に到達したときにレバー４０の係止突起４９を係止させることにより、レバー４０を嵌合完了位置に保持するロック孔３０が形成されている。このように、レバー４０の係止突起４９（弾性係止片４６）は、レバー４０を嵌合完了位置に保持するためのロック手段としての機能を兼ね備えているので、レバー４０に、係止部とは別に専用のロック手段を形成した場合に比べると、レバー４０の形状の簡素化が実現されている。
【００３４】
＜実施形態２＞
次に、本発明を具体化した実施形態２を図７〜図１４を参照して説明する。本実施形態２のレバー式コネクタ２は、電線カバー６０（本発明の構成要件である第１部材）側の係止部、レバー７０の操作部７１、レバー７０側の係止部、及びハウジング６５（本発明の構成要件である第２部材）の解除部６６を上記実施形態１とは異なる構成としたものである。その他の構成については上記実施形態１と同じであるため、同じ構成については、同一符号を付し、構造、作用及び効果の説明は省略する。
【００３５】
電線カバー６０の左右両側壁６１における前端部には、左右一対の係止孔６２（本発明の構成要件である係止部）が、左右に貫通する形態（側壁６１の外面から内面まで貫通する形態）で形成されている。ハウジング６５の左右両外面壁における前端部は、後述する弾性係止片７３を係止姿勢から解除姿勢へ弾性変位させるための左右一対の解除部６６となっている。
【００３６】
レバー７０の操作部７１は、係止孔６２との係止手段を有していない。左右両アーム部７２における操作部７１に近い位置には、左右対称であって操作部７１に向かって片持ち状に延出した形態の一対の弾性係止片７３（本発明の構成要件である係止部）が形成されている。この弾性係止片７３の延出方向は、レバー７０の回動方向と交差する方向となっている。弾性係止片７３の延出端部における内面には、係止突起７４が形成されている。上記実施形態１では弾性係止片４６が弾性変位するのに伴って係止突起４９が支持軸２８の軸線と交差する方向に変位していたのに対し、本実施形態２では、弾性係止片７３が係止姿勢から解除姿勢へ弾性変位するのに伴い、係止突起７４が支持軸６３の軸線と略平行な方向へ変位する。
【００３７】
この係止突起７４の上面と下面には、係止面７５とテーパ面７６とが形成されている。係止面７５は、レバー７０の回動方向と直角な平面であり、係止突起７４における基端部側の領域に形成されている。テーパ面７６は、係止突起７４における先端側の領域に形成されている。テーパ面７６は、レバー７０の回動方向と直角ではなく、レバー７０の回動方向と直角な面に対して傾斜している。
【００３８】
電線カバー６０にハウジング６５を組み付ける前の状態では、図７及び図１３に示すように、レバー７０は、係止突起７４の係止面７５と係止孔６２の内面との係止作用により、初期位置において回動方向を規制された状態にロックされる。係止面７５と、係止孔６２のうち係止面７５に当接する内面は、レバー７０の回動方向と直角な面であるから、レバー７０は確実に回動規制される。また、係止突起７４と係止孔６２は、左右２カ所で係止しているので、係止機能の信頼性が高い。このとき、係止突起７４のうちテーパ面７６の形成されている先端側の部分は、係止孔６２を貫通して連通溝内へ進出している。また、実施形態２の弾性係止片７３は、レバー７０を嵌合完了位置にロックする為の機能は兼ね備えていない。
【００３９】
電線カバー６０にハウジング６５を組み付けると、図１１に示すように、左右両解除部６６が係止突起７４に当接して左右方向外方へ押すので、係止突起７４のうち係止面７５が形成されている基端部は、係止孔６２から外方へ外れる。しかし、図１４に示すように、係止突起７４のテーパ面７６が係止孔６２の孔縁に当接可能に対応しており、係止突起７４のテーパ面７６が係止孔６２の孔縁に当接したときには、係止突起７４側から係止孔６２側へ弾性係止片７３の弾性復元力が作用してセミロック状態となる。このセミロック作用により、レバー７０は初期位置に保持される。
【００４０】
また、係止孔６２の孔縁に当接可能なテーパ面７６は、レバー７０の回動方向に対して斜め方向であるから、テーパ面７６と係止孔６２との係止力、即ちこの係止を解除するために必要な操作力は、実施形態１に比べて小さい。テーパ面７６と係止孔６２との係止力を上回る回動方向の操作力をレバー７０に付与すると、テーパ面７６と係止孔６２の孔縁とが摺動して係止突起７４が係止孔６２から解離する方向へ変位し、レバー７０が嵌合完了位置側への回動を開始する。
【００４１】
＜実施形態３＞
次に、本発明を具体化した実施形態３を図１５〜図１９を参照して説明する。本実施形態３のレバー式コネクタ３は、合成樹脂製のハウジング８０（本発明の構成要件である第１部材）と、ハウジング８０に取り付けられる合成樹脂製のリテーナ９０（本発明の構成要件である第２部材）と、ハウジング８０に回動可能に取り付けられた合成樹脂製のレバー７０と、ハウジング８０に取り付けられる電線カバー９９とを備えて構成されている。
【００４２】
ハウジング８０は、全体として、幅寸法が小さく、前後方向に長い方形状をなす。ハウジング８０内には、上下方向に貫通する複数のキャビティ８１が、前後方向に並んで形成されている。各キャビティ８１内には、ハウジング８０の上面側の開口から端子金具８２が挿入されている。端子金具８２には電線８３が導通可能に接続され、電線８３は、ハウジング８０の上面から導出されている。ハウジング８０の内部には、前後方向（ハウジング８０に対するリテーナ９０の組付け方向と平行な方向）に直線状に延びてキャビティ８１に連通する左右一対の連通溝８４が形成されている。この連通溝８４は、ハウジング８０の後端面に開放されている。
【００４３】
ハウジング８０の前端部には、その左右両外側面から連通溝８４内に貫通する形態の左右一対の係止孔８５（本発明の構成要件である係止部）が形成されている。また、ハウジング８０の後端部には、その左右両外側面から連通溝８４内に貫通する前後一対ずつの位置決め孔８６が形成されている。さらに、ハウジング８０の左右両外側面には、一対の支持軸８７が形成されている。この支持軸８７には、レバー７０が初期位置と嵌合完了位置との間で回動可能に支持されている。弾性係止片７３（本発明の構成要件である係止部）を含むレバー７０の基本構成は、実施形態２と同一である。
【００４４】
リテーナ９０は、合成樹脂製であり、前後方向に細長い板状をなす。リテーナ９０には、各キャビティ８１と対応して上下方向に貫通した複数の貫通孔９１が形成されている。各貫通孔９１の内周には、端子金具８２の角筒部に係止可能な抜止部９２が突出形成されている。リテーナ９０の左右両側面部における前端部は、左右一対の解除部９３となっている。また、リテーナ９０の後端部における左右両側縁部には、左右一対の位置決め突起９５が形成されている。
【００４５】
レバー式コネクタ３を組み付ける際には、まず、ハウジング８０にレバー７０を取り付ける。取り付けられたレバー７０は、弾性係止片７３の係止突起７４が係止孔８５に係止することにより、初期位置において回動規制された状態にロックされる。また、ハウジング８０にはリテーナ９０が取り付けられる。取り付けられたリテーナ９０は、その位置決め突起９５を後側の位置決め孔８６に係止させることにより、仮係止位置（図示省略）に保持される。リテーナ９０が仮係止位置にある状態では、各貫通孔９１がキャビティ８１と対応し、抜止部９２はキャビティ８１から後方へ外れた位置にある。また、解除部９３は、係止孔８５に係止している係止突起７４よりも後方に位置し、係止突起７４とは非接触の状態である。したがって、係止面７５と係止孔８５の内面とが当接し、レバー７０は確実に初期位置にロックされる。
【００４６】
この後、ハウジング８０に端子金具８２を挿入する。このとき、抜止部９２はキャビティ８１内（つまり、端子金具８２の挿入経路）の外部へ退避しているので、端子金具８２の挿入は支障なく行われる。全ての端子金具８２の挿入が完了したら、リテーナ９０を、前方へ押し動かして図１８に示す本係止位置へ移動させる。すると、位置決め突起９５が前側の位置決め孔８６に係止することにより、リテーナ９０は、本係止位置に保持される。また、抜止部９２が端子金具８２の角筒部８２ａに係止する状態となるので、端子金具８２がリテーナ９０によって抜止め状態となる。
【００４７】
また、リテーナ９０が本係止位置へ移動するのに伴い、リテーナ９０の解除部９３が係止突起７４に当接して外側へ押すので、係止突起７４のうち係止面７５の形成されている基端部が係止孔８５よりも外側へ外れ、テーパ面７６が係止孔８５の孔縁に当接するセミロック状態となり、レバー７０が初期位置に保持される。レバー７０を初期位置に保持するためのセミロック構造は、実施形態２と同じである。
【００４８】
リテーナ９０の取付けが済んだら、ハウジング８０にはその上面（電線８３の導出面）を覆い隠すように電線カバー９９を取り付ける。電線カバー９９は、下面と後面に開放された箱状をなし、電線カバー９９をハウジング８０に取り付けた状態では、ハウジング８０から上向きに導出した電線８３が、後方へ屈曲され、電線カバー９９の後面の開口から外部へ導出される。  
その他の構成については実施形態１及び実施形態２と同様であるため、構造、作用及び効果の説明は省略する。
【００４９】
＜他の実施形態＞
本発明は上記記述及び図面によって説明した実施形態に限定されるものではなく、例えば次のような実施態様も本発明の技術的範囲に含まれる。
【００５０】
（１）上記実施形態では、レバーに形成したギヤ状のカム機能部を相手側コネクタに係合させることによってカム作用が発揮されるようにしたが、レバーは、溝状のカム機能部を相手側コネクタに係合させることによってカム作用が発揮される形態のものであってもよい。
【００５１】
（２）上記実施形態では、レバーの移動形態が回動である場合について説明したが、本発明は、レバーが平行移動（スライド）する場合にも適用できる。
【００５２】
（３）上記実施形態では、レバー側の係止部のみを弾性係止片としたが、第１部材側の係止部のみを弾性係止片としてもよく、レバー側の係止部と第１部材側の係止部の両方を弾性係止片としてもよい。
【００５３】
（４）上記実施形態では、レバー側の係止部が、レバーを嵌合完了位置に保持するためのロック手段としての機能を兼ね備えるようにしたが、レバーに、係止部とは別に専用のロック手段を形成してもよい。
【００５４】
（５）上記実施形態２、３では、レバー側の係止部のみにテーパ面を形成したが、テーパ面は、第１部材（ハウジング）側のみに形成してもよく、レバー側と第１部材側の両方に形成してもよい。
【００５５】
（６）上記実施形態２、３では、弾性係止片のみにテーパ面を形成したが、テーパ面は、弾性係止片ではない係止部のみに形成してもよく、弾性係止片と弾性係止片ではない係止部との両方に形成してもよい。
【００５６】
（７）上記実施形態２、３のセミロック構造（即ち、レバー側の係止部と第１部材側の係止部のうち少なくともいずれか一方の係止部が弾性係止片となっていて、レバー側の係止部と第１部材側の係止部のうち少なくともいずれか一方の係止部に、レバーの移動方向に対して傾斜したテーパ面が形成され、係止部同士の係止が解除されてレバーの回動が許容された状態では、テーパ面が相手側の係止部に係止することによりレバーが初期位置に保持される構造）は、実施形態１にも適用することができる。
【図面の簡単な説明】
【００５７】
【図１】実施形態１のレバー式コネクタの斜視図
【図２】ハウジングが取り付けられる前であって、レバーが初期位置に保持されている状態をあらわす正面図
【図３】図２のＡ−Ａ線断面図
【図４】ハウジングが取り付けられて、レバーが嵌合完了位置側への回動を許容された状態をあらわす断面図
【図５】レバーを嵌合完了位置へ回動させて相手側コネクタと嵌合した状態をあらわす側面図
【図６】図５のＢ−Ｂ線断面図
【図７】実施形態２においてハウジングが取り付けられる前であって、レバーが初期位置に保持されている状態をあらわす側面図
【図８】図７のＣ−Ｃ線断面図
【図９】ハウジングの側面図
【図１０】ハウジングが取り付けられて、レバーが嵌合完了位置側への回動を許容された状態をあらわす側面図
【図１１】図１０のＤ−Ｄ線断面図
【図１２】レバーを嵌合完了位置へ回動させて相手側コネクタと嵌合した状態をあらわす側面図
【図１３】図７のＥ−Ｅ線断面図
【図１４】図１０のＦ−Ｆ線断面図
【図１５】実施形態３においてリテーナが取り付けられる前であって、レバーが初期位置に保持されている状態をあらわす側面図
【図１６】図１５のＧ−Ｇ線断面図
【図１７】リテーナが取り付けられて、レバーが嵌合完了位置側への回動を許容された状態をあらわす側面図
【図１８】図１７のＨ−Ｈ線断面図
【図１９】図１７のＩ−Ｉ線断面図
【符号の説明】
【００５８】
１…レバー式コネクタ
１０…ハウジング（第２部材）
１２…端子金具
１３…電線
１５…解除部
２０…電線カバー（第１部材）
２９…係止孔（係止部）
３０…ロック部
４０…レバー
４６…弾性係止片（係止部）
２，３…レバー式コネクタ
６０…電線カバー（第１部材）
６２，８５…係止孔（係止部）
６５…ハウジング（第２部材）
６６，９３…解除部
７０…レバー
７３…弾性係止片（係止部）
７６…テーパ面
８０…ハウジング（第１部材）
８２…端子金具
８３…電線
９０…リテーナ（第２部材）
【図１】
2010108872.tif 000003
【図２】
2010108872.tif 000004
【図３】
2010108872.tif 000005
【図４】
2010108872.tif 000006
【図５】
2010108872.tif 000007
【図６】
2010108872.tif 000008
【図７】
2010108872.tif 000009
【図８】
2010108872.tif 000010
【図９】
2010108872.tif 000011
【図１０】
2010108872.tif 000012
【図１１】
2010108872.tif 000013
【図１２】
2010108872.tif 000014
【図１３】
2010108872.tif 000015
【図１４】
2010108872.tif 000016
【図１５】
2010108872.tif 000017
【図１６】
2010108872.tif 000018
【図１７】
2010108872.tif 000019
【図１８】
2010108872.tif 000020
【図１９】
2010108872.tif 000021